(57)【特許請求の範囲】
【請求項１】
データベースに格納された登録印影２値画像と画像入力装置から読み取った照合印影画像を照合する印鑑照合方法において、
前記照合印影画像から濃度勾配ベクトルを算出する第１の算出ステップと、
前記登録印影２値画像から濃度勾配ベクトルを取得する取得ステップと、
前記算出ステップで算出された前記照合印影画像の濃度勾配ベクトルと、
前記登録印影画像の濃度勾配ベクトルを用いて前記登録印影画像に対する前記照合印影画像の照合率を算出する第２の算出ステップとを有し、
照合率を算出する第２の算出ステップは、印影画像の中心付近のエリアに周辺部よりも大きい重み付して算出することを特徴とする印鑑照合方法。
【請求項２】
データベースに格納された登録印影２値画像と画像入力装置から読み取った照合印影画像を照合する印鑑照合装置において、
前記画像入力装置が読み込んだ前記照合印影画像の濃度勾配ベクトルを算出し、算出した前記照合印影画像の濃度勾配ベクトルと、前記データベースに格納した前記登録印影２値画像の濃度勾配ベクトルを用いて前記登録印影画像に対する前記照合画像の照合率を、印影画像の中心付近のエリアに周辺部よりも大きい重み付して算出することを特徴とする印鑑照合装置。
【請求項３】
登録印影２値画像を格納したデータベースと、
照合するための照合印影画像を読み込む入力装置と、
前記登録印影２値画像と前記照合印影画像を照合する印鑑照合装置を有する印鑑照合システムにおいて、
前記印鑑照合装置は、前記入力装置が読み込んだ前記照合印影画像の濃度勾配ベクトルを算出し、算出した前記照合印影画像の濃度勾配ベクトルと、前記データベースに格納した前記登録印影２値画像の濃度勾配ベクトルを用いて前記登録印影画像に対する前記照合印影画像の照合率を、印影画像の中心付近のエリアに周辺部よりも大きい重み付して算出することを特徴とする印鑑照合システム。
【発明の詳細な説明】
【０００１】
【発明の属する技術分野】
本発明は印鑑照合装置にかかり、特に印影の線分の太さの変動、あるいはかすれの影響を受けにくい印鑑照合装置に関する。
【０００２】
【従来の技術】
印鑑照合装置は予め登録した印影画像（マスター印影画像）と、実際に使用された印鑑の印影をスキャナ等の入力装置により読み込んで得た画像（照合印影画像）を照合して照合率を算出する。そして、オペレータはこの照合率をもとにして前記印鑑の真偽を判定している。
【０００３】
照合率の算出に際しては、マスター画像と照合印影画像を画素単位でマッチングをとる比較マッチング法が知られている。また、特開平９−２４５１６７号公報には適切なカテゴリの代表ベクトルの生成を行い、それに基づいてパターン認識やベクトル量子化を行うことにより、画像パターンの背景に左右されない信号処理を行うことが示されている。
【０００４】
【発明が解決しようとする課題】
しかしながら、前記従来の方法では印影にかすれ、欠け、あるいは滲み等により印影の線分に太さの変動、あるいはかすれ等が存在すると、抽出した特徴量に変動が生じて類似印影との相違を正確に識別することは困難であった。
【０００５】
本発明は前記問題点に鑑みてなされたもので、印鑑の線分の太さの変動、あるいはかすれ等の影響を受けにくい印鑑照合装置を提供する。
【０００６】
【課題を解決するための手段】
本発明は、上記の課題を解決するために次のような手段を採用した。
【０００７】
予め登録した印影画像と、印影画像入力装置により読み込んだ照合印影画像とを照合する印鑑照合装置において、前記印影照合装置は、前記登録した印影画像の濃度勾配および濃度勾配の方向からなる濃度勾配ベクトル、並びに前記照合印影画像の濃度勾配および濃度勾配の方向からなる濃度勾配ベクトルを算出し、これらの濃度勾配ベクトルの距離に基づいて印鑑の照合率を算出する。
【０００８】
また、前記登録した印影画像および前記照合印影画像が２値画像である場合には、前記２値画像を多値画像に変換した後に照合率を計算する。また、照合率の演算に際しては印影画像を分割し、分割領域毎に所定の重みを付して計算することができる。
【０００９】
【発明の実施の形態】
以下に本発明の実施形態を図１ないし図８を用いて説明する。図１は本発明の実施形態にかかる印鑑照合装置を示す図である。図において、１０は印影照合装置である。１１は登録印影画像データベースであり、金融機関に届け出した預金者等の印鑑の印影が登録されている。１２はスキャナ等の登録印影画像入力装置であり、金融機関に持ち込まれた手形、小切手等に押印してある印影画像を取り込む。１３は印鑑照合装置の前処理部であり、取り込んだ印影画像に対して印影部分の切り出し処理等を行い照合印影画像を生成する。１４は印影照合処理部であり、前記照合印影画像と登録印影画像とを照合する。１５はディスプレイあるいはプリンタ等の出力装置であり、印影照合結果である前記照合印影画像と登録印影画像との重ね合わせ画像あるいは照合率等を表示する。オペレータは前記重ね合わせ画像あるいは照合率に基づいて前記押印された印影の真偽を判定する。
【００１０】
図２は印鑑照合装置の処理を説明するフローチャートである。まず、ステップ２１において、予め登録した印影画像すなわちマスター印影画像を登録印影画像データベースから読み込み、また実際に使用された印鑑の印影画像をスキャナ等の入力装置１２から読み込む。ステップ２２において、入力装置から読み込んだ印影画像に対して印影部分の切り出し処理等を行い照合印影画像を生成する。また、このとき枠線等のノイズを除去する処理を行う。ステップ２３において、マスター印影画像と照合印影画像の双方または一方を移動して、２つの印影の位置および回転角度を合わせる処理を行う。この処理の方式としては例えば、画素単位や固定エリア単位で画像を移動、回転するパターンマッチング法などがある。
【００１１】
次に、このようにして、位置および回転角度を合わせて正規化したマスター印影画像と照合印影画像を用いて照合率を算出する。まず、ステップ２４において、マスター印影画像あるいは照合印影画像が２値画像であれば、その２値画像を濃淡画像に変換する。２値画像を濃淡画像に変換するには平均値フィルターを使用することができる。ここで、図３は２値の印影画像を示す図、図４は前記２値の印影画像を濃淡画像に変換した例を示す図である。
【００１２】
ステップ２５において、マスター印影画像および照合印影画像の濃淡画像のそれぞれに対してロバートフィルタを適用し、濃淡画像の濃度値の曲面勾配の向きと強さを求める。すなわち、（１）式のように直交する２方向の差分値を合成することにより、その画素点での勾配の方向Ｇθ（ｉ，ｊ）と勾配の強度Ｇｆ（ｉ，ｊ）を求める。
【００１３】
【数１】
0003597097.tif 000002
ここで、図５は図３に示す印影画像を処理して得られた濃度勾配の強度を示す図である。また、図６は図３に示す印影画像を処理して得られた濃度勾配の方向を示す図である。なお、図６において、向きが０（ｒａｄ）を最大輝度（白）、π（ｒａｄ）を最小輝度で表示したものである。ここでのｇ（Ｉ，ｊ）は画素点（ｉ，ｊ）での濃度値である。また、Δｕ＝０の時のθ（ｉ，ｊ）はΔｖ＞０ならπ／２、Δｖ＜０なら−π／２、Δｖ＝０なら０とし、その他は１６方向に量子化する。なお、ここでは、ロバートフィルタを用いた場合を説明したが、他のフィルタ、例えばソーベルフィルタを適用することも可能である。
【００１４】
ステップ２６において、マスター印影画像および照合印影画像のエリア（Ｘ、Ｙ）を細分割する。図７は照合印影画像のエリア（Ｘ、Ｙ）を（ｄｘ，ｄｙ）毎に細分割した例を示す図である。次いで、細分割したエリア毎にマスター印影画像および照合印影画像の濃度値の勾配の強度を前記（１）式に基づいて演算する。そして細分割したエリア毎にマスター印影画像および照合印影画像の濃度値の勾配の強度を勾配の方向別に足しあわせ、（細分割エリア×１６方向）次元のマスター印影画像の濃度勾配ベクトルＶｍおよび照合印影画像の濃度勾配ベクトルＶｓを作成する。
【００１５】
ステップ２７において、ベクトル化したマスター印影画像の濃度勾配ベクトルＶｍと照合印影画像の濃度勾配ベクトルＶｓとの距離を各エリア毎に求める。距離の演算には（２）式に示すユークリッド距離関数を用いて求める。
【００１６】
【数２】
0003597097.tif 000003
ステップ２８において、前述したエリア毎に求めた距離に重み付を付与する。図８は重み付値を示す図である。図に色の濃さで示すように例えば、中心から［５  ４  ３  ２  １］のように中心付近のエリアでの距離が照合率の演算に大きく寄与するように重み付ける。
【００１７】
ステップ２９において、前記重み付けした距離を照合率に変換し、最終結果である照合率を算出する。この変換式は実験的に求めたものを使用するとよい。なお、ここではユークリッド距離を用いたが、その他各種の距離関数を適用することもできる。
【００１８】
以上説明したように、本実施形態によれば、印影画像の濃度値の曲面勾配の向きと強さ（濃度勾配ベクトル）を演算するので、より詳細な印影画像の特徴量を抽出することがでる。また、前記ベクトルを用いて照合率を計算するので線分の太さ違いやかすれの影響を受け難くなり、類似印との判別精度が向上する。
【００１９】
さらに、マスター印影の入力画像あるいは照合印影画像が２値画像の場合でも濃淡画像に変換し、濃度勾配ベクトルを求めることができるので高い精度の照合率を算出できる。また、照合率算出演算の際に中心付近のエリアに重みをおくので印影枠欠け、かすれによる悪影響が少なくなり、高い精度の照合率を算出できる。
【００２０】
【発明の効果】
以上説明したように本発明によれば、印影画像の濃度曲面勾配ベクトルを特徴量として照合率を演算するので印鑑の線分の太さの変動、あるいはかすれ等の影響を受けにくい印鑑照合装置を得ることができる。さらに入力画像が２値画像の場合でも濃淡画像と同様に照合率を演算することができる。
【図面の簡単な説明】
【図１】本発明の実施形態にかかる印鑑照合装置を示す図である。
【図２】印鑑照合装置の処理を説明するフローチャートである。
【図３】２値の印影画像を示す図である。
【図４】２値の印影画像を濃淡画像に変換した例を示す図である。
【図５】印影画像を処理して得られた濃度勾配の強度を示す図である。
【図６】印影画像を処理して得られた濃度勾配の方向を示す図である。
【図７】照合印影画像のエリアを細分割した例を示す図である。
【図８】細分割したエリアの重み付値を示す図である。
【符号の説明】
１１  登録印影画像のデータベース
１２  登録印影画像入力装置
１３  印鑑照合装置の前処理部
１４  印鑑照合処理部
１５  出力装置
【図１】
0003597097.tif 000004
【図２】
0003597097.tif 000005
【図３】
0003597097.tif 000006
【図４】
0003597097.tif 000007
【図５】
0003597097.tif 000008
【図６】
0003597097.tif 000009
【図７】
0003597097.tif 000010
【図８】
0003597097.tif 000011